(57)【要約】【課題】制御モジュールとＮＡＮＤフラッシュメモリーを例えばＳＩＭカードなどのＩＣカードに設置することによって、ＩＣカードにアプリケーションプログラムためのメモリースペースをもっと多く提供し、ＩＣカードにもっと便利なサービスを提供させることを可能にすること。【解決手段】通信端末に適用されるＩＣカードシステム、そのシステムを用いた通信端末及びそれらの製造方法を提供する。ＩＣカードシステムは、通信端末と外部の基地局との間の通信を可能にするＩＣユニットと、各種のアプリケーションのプラットフォームを通信端末に提供する仮想マシンを有するメモリーモジュールと、通信端末とＩＣユニットとの間のインターフェース、及び通信端末とメモリーモジュールとの間のインターフェースとして、ＩＣユニットとメモリーモジュールのいずれか一つアクセスする制御モジュールとを備えてなる。【選択図】図１
2008219668.tif 000002
【特許請求の範囲】
【請求項１】
通信端末に適用されるＩＣカードシステムであって、
前記通信端末と外部の基地局との間の通信を可能にするＩＣユニットと、
アプリケーションのプラットフォームを前記通信端末に提供する仮想マシンを有するメモリーモジュールと、
前記通信端末と前記ＩＣユニットとの間のインターフェース、及び前記通信端末と前記メモリーモジュールとの間のインターフェースとして、前記ＩＣユニットと前記メモリーモジュールのいずれか一つにアクセスする制御モジュールと、
を備えてなることを特徴とするＩＣカードシステム。
【請求項２】
前記通信端末は、携帯電話又はＰＤＡのいずれか一つであることを特徴とする請求項１記載のＩＣカードシステム。
【請求項３】
前記メモリーモジュールは、フラッシュメモリーであることを特徴とする請求項１又は２記載のＩＣカードシステム。
【請求項４】
前記フラッシュメモリーは、ＮＡＮＤフラッシュメモリーであることを特徴とする請求項３記載のＩＣカードシステム。
【請求項５】
前記制御モジュール、前記ＩＣユニット及び前記メモリーモジュールを、標準加入者識別モジュールカードとして構成したことを特徴とする請求項１から４のいずれか一項に記載のＩＣカードシステム。
【請求項６】
前記仮想マシンは、ジャバ仮想マシンであることを特徴とする請求項１から５のいずれか一項に記載のＩＣカードシステム。
【請求項７】
前記アプリケーションは、前記仮想マシンによって実行されることを特徴とする請求項１から６のいずれか一項に記載のＩＣカードシステム。
【請求項８】
前記ＩＣユニットは、加入者識別モジュールであることを特徴とする請求項１から７のいずれか一項に記載のＩＣカードシステム。
【請求項９】
前記ＩＣユニットは、汎用加入者識別モジュールであることを特徴とする請求項１から７のいずれか一項に記載のＩＣカードシステム。
【請求項１０】
前記ＩＣユニットは、ユーザー識別モジュールであることを特徴とする請求項１から７のいずれか一項に記載のＩＣカードシステム。
【請求項１１】
前記ＩＣユニットは、着脱可能なユーザー識別モジュールであることを特徴とする請求項１０記載のＩＣカードシステム。
【請求項１２】
上記請求項１から１１のいずれか一項に記載のＩＣカードシステムを有する通信端末。
【発明の詳細な説明】
【技術分野】
【０００１】
本発明はＩＣカードシステムに関し、特に携帯電話などの通信端末に適用される加入者識別モジュール（Ｓｕｂｓｃｒｉｂｅｒ  Ｉｄｅｎｔｉｔｙ  Ｍｏｄｕｌｅ，  ＳＩＭ）カードシステムに関する。
【背景技術】
【０００２】
現在、異なる通信システムでは異なる通信規格が用いられている。また異なる通信規格が異なるＩＣカードに適用されている。例えば、欧州で規格が統一されたＧＳＭシステムは加入者識別モジュール（Ｓｕｂｓｃｒｉｂｅｒ  Ｉｄｅｎｔｉｔｙ  Ｍｏｄｕｌｅ，  ＳＩＭ）カードを用い、欧州で規格が統一されたＷ−ＣＤＭＡシステムは汎用加入者識別モジュール（Ｕｎｉｖｅｒｓａｌ  Ｓｕｂｓｃｒｉｂｅｒ  Ｉｄｅｎｔｉｔｙ  Ｍｏｄｕｌｅ，  ＵＳＩＭ）カードを用い、韓国で規格が統一されたＣＤＭＡ２０００システムはユーザー識別モジュール（Ｕｓｅｒ  Ｉｄｅｎｔｉｔｙ  Ｍｏｄｕｌｅ，  ＵＩＭ）カード及び着脱可能なユーザー識別モジュール（Ｒｅｍｏｖａｂｌｅ  Ｕｓｅｒ  Ｉｄｅｎｔｉｔｙ  Ｍｏｄｕｌｅ，  ＲＵＩＭ）カードを用いている。
【０００３】
従来のＧＳＭシステムでは、携帯電話などの携帯装置にＳＩＭカードが設置されてある。ＳＩＭカードが携帯装置に差し込まれることで、この携帯装置がＧＳＭネットワークからのサービスを受けることが可能になる。
【０００４】
一般的なＳＩＭはマイクロプロセッサ及びメモリー装置を備えて構成されている。このうち、メモリー装置としては、読み出し専用メモリー（ＲＯＭなど）、非揮発性電気的消去可能書き込み専用メモリー（ＥＥＰＲＯＭなど）及び揮発性電気的消去可能書き込み専用メモリー（ＲＡＭなど）が該当する。またＳＩＭには、ＳＩＭと携帯装置との間のデータ伝送インターフェースを構成する接続手段が設けられている。
【０００５】
ＧＳＭの標準にはコマンドセットが規定されており、このコマンドセットを用いて、携帯装置がＳＩＭに記録されたデータにアクセスし、ＳＩＭからデータを読み出し、又はＳＩＭにデータを書き込むことができる。このように記録されたデータは、例えば国際移動加入者識別番号（Ｉｎｔｅｒｎａｔｉｏｎａｌ  Ｍｏｂｉｌｅ  Ｓｕｂｓｃｒｉｂｅｒ  Ｉｄｅｎｔｉｔｙ，  ＩＭＳＩ）のような書き換え不可能なデータであり、これによって、携帯装置のユーザーは通信ネットワークに識別されることができる。
【０００６】
その他のデータは、書き換え可能なデータであり、例えば携帯装置によって書き換えられるデータ（例えば、携帯装置の現在位置（ＬＡＩ）を特定するデータ）であったり、携帯装置によって書き換えられるデータ（例えば、ユーザがダイヤルナンバーを自動的に呼び出すためのデータであり、このデータに対応するダイヤル識別番号が携帯装置によって表示され、このダイヤル識別番号をユーザが選択することで選択できるような短縮ダイヤル番号（ＡＤＮ））である。
【０００７】
その他の書き換え可能なデータとしては、ショートメッセージデータがある。このデータは、携帯装置にて受信された英数字による１以上のショートメッセージに関係するデータであり、ユーザによって必要に応じて呼び出される。
【０００８】
ＳＩＭに記憶されるその他のデータについては、ＧＳＭ技術規格１１．１１（ＥＴＳ  ３００  ６０８）を参照されたい。
【発明の開示】
【発明が解決しようとする課題】
【０００９】
ＳＩＭの記憶容量は、主としてコストの点から、制限を受けることになる。
【００１０】
従って、ＳＩＭの記憶容量に伴って、ＳＩＭに記憶可能なデータの容量や数も制限されることになり、不都合な場合が生じる。例えば、短縮ダイヤル番号を記憶する場合、通常は、９０個までの短縮ダイヤル番号を記録可能なように、十分な記憶領域を確保しておく。しかし、ユーザによっては、より多くの短縮ダイヤル番号を記憶可能な記録容量が必要になる。このようなユーザが存在することは、より多くの短縮ダイヤル番号の記録容量を有するＳＩＭを提供することができる事業者が、この短縮ダイヤル番号の記録容量をセールスポイントとして利用しているという事実からも明らかである。しかし、記憶容量の総量が固定されている限り、短縮ダイヤル番号の記録容量を増やせば、その分だけ他のデータの記録容量が減ることになる。
【００１１】
端末装置の製造業者にとっては、ＳＩＭカードの設計、構成及び寸法が制限されることによってコストが高くなるという欠点がある。端末装置においてＳＩＭカードに標準接続を適用しようとすれば、端末装置の製造コストが高くなる。一方、ＳＩＭカードに記憶されているデータが破壊される恐れもある。従来の技術は、スマートカードの実用化を図るための方法を提示しており、データ通信装置を用いた包括的サービスを実現可能としている。しかしながら、このことは上記のような各種の欠点を何ら解決するものではない。従来の技術は、寸法が制限されるＳＩＭカードを提供するに過ぎず、このＳＩＭカードは端末装置で使用されるジャバ仮想マシンやその他のアプリケーションプログラムを記憶することができない。反面、個人や企業にとって、携帯電話の使用率は急速に増加している。新たなお客を引き付けるため及び既存のお客を維持するためには、通信事業者は各種のサービスを提供しようとする。理想的には、通信業者は、新しいサービスが急速に普及すること、及び、このサービスが自己のネットワークにとってユニークなものであることなどを望んでいる。したがって、発展中のＳＩＭカードシステムと端末システムとの間の適合性（Ｃｏｍｐａｔｉｂｉｌｉｔｙ）を考慮すべきである。本発明はこのようなニーズに応えることができる。
【００１２】
このような点に鑑みて、本発明は、制御モジュールとＮＡＮＤフラッシュメモリーを例えばＳＩＭカードなどのＩＣカードに設置することによって、アプリケーションプログラムのためのメモリースペースをＩＣカードにより多く提供し、ＩＣカードにもっと便利なサービスを提供させることができる、通信端末に適用されるＩＣカードシステムを提供する。本発明によれば、上記従来の欠点を解決することが可能である。
【課題を解決するための手段】
【００１３】
上述した課題を解決し、目的を達成するために、通信端末に適用されるＩＣカード（Ｉｎｔｅｇｒａｔｅｄ  Ｃｉｒｃｕｉｔ  Ｃａｒｄ，  ＩＣＣ）システムを提供することで上記課題を解決する。このＩＣカードシステムは、制御モジュールとＮＡＮＤフラッシュメモリーを例えばＳＩＭカードなどのＩＣカードに設置することによって、ＩＣカードにアプリケーションプログラムためのメモリースペースをもっと多く提供し、ＩＣカードにもっと便利なサービスを提供させることを可能にする。それゆえに、上記の従来の問題を快適に解決することができる。
【００１４】
本発明のＩＣカード（Ｉｎｔｅｇｒａｔｅｄ  Ｃｉｒｃｕｉｔ  Ｃａｒｄ，  ＩＣＣ）システムは、通信端末に適用されるであり、前記通信端末と外部の基地局との間の通信を可能にするＩＣユニットと、各種のアプリケーションのプラットフォームを前記通信端末に提供する仮想マシン（ＶＭ：Ｖｉｒｔｕａｌ  Ｍａｃｈｉｎｅ）を有するメモリーモジュールと、前記通信端末と前記ＩＣユニットとの間のインターフェース、及び前記通信端末と前記メモリーモジュールとの間のインターフェースとして、前記ＩＣユニットと前記メモリーモジュールのいずれか一つアクセスする制御モジュールと、を備えてなることを特徴とする。
【００１５】
前記通信端末は、携帯電話又はＰＤＡのいずれか一つである。
【００１６】
前記メモリーモジュールは、フラッシュメモリーである。
【００１７】
前記フラッシュメモリーは、ＮＡＮＤフラッシュメモリーである。
【００１８】
前記制御モジュール、前記ＩＣユニット及び前記メモリーモジュールは、標準の加入者識別モジュール（Ｓｕｂｓｃｒｉｂｅｒ  Ｉｄｅｎｔｉｔｙ  Ｍｏｄｕｌｅ，  ＳＩＭ）カードとして構成されている。
【００１９】
前記仮想マシンは、ジャバ（Ｊａｖａ）仮想マシン（商標）である。
【００２０】
前記各種のアプリケーションは、前記ＶＭによって実行される。
【００２１】
前記ＩＣユニットは、加入者識別モジュール（Ｓｕｂｓｃｒｉｂｅｒ  Ｉｄｅｎｔｉｔｙ  Ｍｏｄｕｌｅ，  ＳＩＭ）である。
【００２２】
前記ＩＣユニットは、汎用加入者識別モジュール（Ｕｎｉｖｅｒｓａｌ  Ｓｕｂｓｃｒｉｂｅｒ  Ｉｄｅｎｔｉｔｙ  Ｍｏｄｕｌｅ，  ＵＳＩＭ）である。
【００２３】
前記ＩＣユニットは、ユーザー識別モジュール（Ｕｓｅｒ  Ｉｄｅｎｔｉｔｙ  Ｍｏｄｕｌｅ，  ＵＩＭ）である。
【００２４】
前記ＩＣユニットは、着脱可能なユーザー識別モジュール（Ｒｅｍｏｖａｂｌｅ  Ｕｓｅｒ  Ｉｄｅｎｔｉｔｙ  Ｍｏｄｕｌｅ，  ＲＵＩＭ）である。
【００２５】
本発明の通信端末は、ＩＣカード（Ｉｎｔｅｇｒａｔｅｄ  Ｃｉｒｃｕｉｔ  Ｃａｒｄ，  ＩＣＣ）システムを有する通信端末でり、前記通信端末と外部の基地局との間の通信を可能にするＩＣユニットと、各種のアプリケーションのプラットフォームを前記通信端末に提供する仮想マシン（Ｖｉｒｔｕａｌ  Ｍａｃｈｉｎｅ，  ＶＭ）を有するメモリーモジュールと、前記通信端末と前記ＩＣユニットとの間のインターフェース、及び前記通信端末と前記メモリーモジュールとの間のインターフェースとして、前記ＩＣユニットと前記メモリーモジュールのいずれか一つアクセスする制御モジュールと、を備えてなることを特徴とする。
【発明の効果】
【００２６】
本発明のＩＣカードシステムでは、ＩＣカードにアプリケーションプログラムためのメモリースペースをもっと多く提供し、ＩＣカードにもっと便利なサービスを提供させることも可能になる。
【発明を実施するための最良の形態】
【００２７】
本願発明のその他の利点及び特徴については、以下に行う発明の実施の形態の説明から、より明らかとなるであろう。下記実施の形態は本発明の技術的手段をより具体的に詳述するためのもので、当然本発明はそれに限定されず、添付クレームの範囲を逸脱しない限り、当業者による単純な設計変更、付加、修飾、及び置換はいずれも本発明の技術的範囲に属する。
【００２８】
上記述べたように、異なる通信システムは異なる通信規格を用いている。異なる通信規格は異なるＩＣカードに適用されている。例えば、欧州で規格が統一されたＧＳＭシステムは加入者識別モジュール（Ｓｕｂｓｃｒｉｂｅｒ  Ｉｄｅｎｔｉｔｙ  Ｍｏｄｕｌｅ，  ＳＩＭ）カードを用い、欧州で規格が統一されたＷ−ＣＤＭＡシステムは汎用加入者識別モジュール（Ｕｎｉｖｅｒｓａｌ  Ｓｕｂｓｃｒｉｂｅｒ  Ｉｄｅｎｔｉｔｙ  Ｍｏｄｕｌｅ，  ＵＳＩＭ）カードを用い、韓国で規格が統一されたＣＤＭＡ  ２０００システムはユーザー識別モジュール（Ｕｓｅｒ  Ｉｄｅｎｔｉｔｙ  Ｍｏｄｕｌｅ，  ＵＩＭ）カード及び着脱可能なユーザー識別モジュール（Ｒｅｍｏｖａｂｌｅ  Ｕｓｅｒ  Ｉｄｅｎｔｉｔｙ  Ｍｏｄｕｌｅ，  ＲＵＩＭ）カードを用いている。したがって、本発明の通信システムには、ＧＳＭシステムを例として説明する。また、ＩＣカードにはＳＩＭカードを例として説明する。
【００２９】
以下、本願発明の好ましい実施の形態を、図面を参照しつつ具体的に説明する。図１は、本発明に係る、通信端末に適用されるＩＣカードシステムを示す図である。ＳＩＭシステム１０は通信端末に用いられて、標準のＳＩＭカードの形状を持っているものである。ＳＩＭシステム１０は、ＳＩＭメモリー１０１、メモリー１０２及び制御モジュール１０３を含んでいる。ＳＩＭメモリー１０１は通信端末１１の識別情報を記憶するものである。メモリー１０２は通信端末１１のアプリケーションを記憶するものである。制御モジュール１０３はＳＩＭメモリー１０１とメモリー１０２とに電気的に接続され、通信端末１１とのインターフェースを提供するものである。この制御モジュール１０３は、ＳＩＭメモリー１０１にアクセスして識別情報を取得したり、メモリー１０２にアクセスしてアプリケーションを取得等する。
【００３０】
実際には、通信端末１１を携帯電話やＰＤＡ（Ｐｅｒｓｏｎａｌ  Ｄｉｇｉｔａｌ  Ａｓｓｉｓｔａｎｔ）として構成することが可能である。この実施例では、ＳＩＭシステム１０は形状が標準のＳＩＭカードと同じで、通信端末１１の図示しない標準ＳＩＭカードスロットに差し込み可能なものである。従来のＳＩＭカードと異なり、本発明のＳＩＭシステムはさらに、通信端末１１とのインターフェースを提供するメモリー１０２を含んでいる。メモリー１０２はＮＡＮＤフラッシュメモリーにて構成することができる。明らかに、メモリー１０２はアプリケーションプログラムをたくさん記憶することができ、ＳＩＭシステム１０はより多くの記憶スペースをユーザーに提供することができる。一方、本発明ではさらに、通信端末とのインターフェースとしての制御モジュール１０３を導入しており、メモリー１０２と制御モジュール１０３とを統合することによって汎用の通信端末プラットホームが形成されている。したがって、本発明によれば、サービスがもっと急速に普及すること、もっと多いネットワークのサービスを提供することなどの目的を達成することができる。また、この実施例では、標準のジャバ仮想マシン（ＶＭ）を複合ＳＩＭシステムに導入することで（ＶＭは、メモリー１０２に記憶されて制御モジュール１０３によってアクセスされる）、汎用の通信端末プラットホームを提供することができる。それゆえに、通信端末で利用されるプログラムを増加させると共に、アプリケーションプログラムの開発を一層容易とすることができる。
【００３１】
以上のことから、本発明は通信端末に適用される統合ＳＩＭカードシステムを提供して、制御ＩＣモジュールとＮＡＮＤフラッシュメモリーを例えばＳＩＭカードなどのＩＣカードに設置することによって、ＩＣカードにアプリケーションプログラムためのメモリースペースをより多く提供し、ＩＣカードにもっと便利なサービスを提供させることを可能にする。さらに、本発明も標準のジャバ仮想マシン（ＶＭ）をＳＩＭシステムに導入して、通用の携帯装置プラットホームを提供して、通信端末で適用されたプログラムの流通を増加して、アプリケーションプログラムがもっと容易に開発されることを可能にする。それらの有利な点がまだ従来の技術に発表されていない。
【００３２】
上記実施の形態は本発明の技術的手段をより具体的に詳述するためのもので、当然本発明はそれに限定されず、添付クレームの範囲を逸脱しない限り、当業者による単純な設計変更、付加、修飾、及び置換はいずれも本発明の技術的範囲に属する。
【図面の簡単な説明】
【００３３】
【図１】本発明に係る、通信端末に適用されるＩＣカードシステムを示す図である。
【符号の説明】
【００３４】
１０    ＩＣカードシステム
１１    通信端末
１０１  ＩＣユニット
１０２  メモリーモジュール
１０３  制御モジュール
【図１】
2008219668.tif 000003